(57)【要約】【課題】本発明は、希望信号に近接した妨害信号のレベルが強い受信条件においても受信エラーの少ない高周波信号受信装置を提供することを目的とするものである。【解決手段】ＡＧＣ制御回路１０９の出力電圧とＡＧＣ制御回路１１２の出力電圧とを重み付け回路１０４にて重み付けして合成した出力電圧によりＡＧＣ回路１０２を利得制御するものである。これにより、本高周波信号受信装置の希望信号に近接した妨害信号による受信エラーの改善ができる。【選択図】　図１
2004048645.tif 000002
【特許請求の範囲】
【請求項１】
高周波信号が入力される入力端子と、この入力端子に入力された信号が供給されるＡＧＣ回路と、このＡＧＣ回路の出力が一方の入力に供給されるとともに他方の入力には局部発振回路の出力信号が供給される混合回路と、この混合回路の出力が供給されるフィルタと、このフィルタの出力が供給される出力端子と、前記混合回路の出力が供給されるＡＧＣ制御回路とを備え、一端に入力される前記ＡＧＣ制御回路の出力電圧と他端に入力される制御電圧とを重み付け回路にて重み付けして合成し、その出力電圧により前記ＡＧＣ回路を利得制御して希望信号に近接した妨害信号による受信エラーを改善する高周波信号受信装置。
【請求項２】
高周波信号が入力される入力端子と、この入力端子に入力された信号が供給される第１のＡＧＣ回路と、この第１のＡＧＣ回路の出力が一方の入力に供給されるとともに他方の入力には第１の局部発振回路の出力信号が供給される第１の混合回路と、この第１の混合回路の出力が供給される第１のフィルタと、前記第１の混合回路の出力が供給される第１のＡＧＣ制御回路と、前記第１のフィルタの出力が供給される第２のＡＧＣ回路と、この第２のＡＧＣ回路の出力が一方の入力に供給されるとともに他方の入力には第２の局部発振回路の出力信号が供給される第２の混合回路と、この第２の混合回路の出力が供給される第２のフィルタと、この第２のフィルタの出力が供給される出力端子と、前記第２のフィルタの出力が供給されるとともに前記第２のＡＧＣ回路を利得制御する第２のＡＧＣ制御回路と、前記第１のＡＧＣ制御回路の出力電圧と前記第２のＡＧＣ制御回路の出力電圧とが入力に供給されるとともに、その出力電圧が前記第１のＡＧＣ回路の利得制御用端子に供給される重み付け回路とを備え、前記第１のＡＧＣ制御回路の出力電圧と前記第２のＡＧＣ制御回路の出力電圧とを前記重み付け回路にて重み付けして合成した出力電圧により前記第１のＡＧＣ回路を利得制御して希望信号に近接した妨害信号による受信エラーを改善する高周波信号受信装置。
【請求項３】
制御用データを入力するデータ用入力端子を設け、このデータ用入力端子を、重み付け制御回路の入力に接続し、その出力電圧により重み付け回路の重み付け係数を設定できるようにした請求項２に記載の高周波信号受信装置。
【請求項４】
少なくとも第１のＡＧＣ回路と、第１の混合回路と、第１の局部発振回路と、第１のＡＧＣ制御回路と、重み付け回路とは、同一のパッケージに集積された請求項２に記載の高周波信号受信装置。
【請求項５】
高周波信号が入力される入力端子と、この入力端子に入力された信号が供給される第１のＡＧＣ回路と、この第１のＡＧＣ回路の出力が一方の入力に供給されるとともに他方の入力には第１の局部発振回路の出力信号が供給される第１の混合回路と、この第１の混合回路の出力が供給される第１のフィルタと、前記第１の混合回路の出力が供給される第１のＡＧＣ制御回路と、前記第１のフィルタの出力が供給される第２のＡＧＣ回路と、この第２のＡＧＣ回路の出力が一方の入力に供給されるとともに他方の入力には第２の局部発振回路の出力信号が供給される第２の混合回路と、この第２の混合回路の出力が供給される第２のフィルタと、この第２のフィルタの出力または前記第２の混合回路の出力が供給されるとともに前記第２のＡＧＣ回路を利得制御する第２のＡＧＣ制御回路と、前記第２のフィルタの出力が供給される第３のＡＧＣ回路と、この第３のＡＧＣ回路の出力が供給されるＡＤコンバータと、このＡＤコンバータの出力が供給されるデジタルフィルタと、このデジタルフィルタの出力が供給される復調回路と、この復調回路の出力が供給される出力端子と、前記デジタルフィルタの出力が供給されるとともに前記第３のＡＧＣ回路を利得制御する第３のＡＧＣ制御回路と、前記第１のＡＧＣ制御回路の出力電圧と前記第３のＡＧＣ制御回路の出力電圧とが入力に供給されるとともに、その出力電圧が前記第１のＡＧＣ回路の利得制御用端子に供給される重み付け回路とを備え、前記第１のＡＧＣ制御回路の出力電圧と前記第３のＡＧＣ制御回路の出力電圧とを前記重み付け回路にて重み付けして合成した出力電圧により前記第１のＡＧＣ回路を利得制御して希望信号に近接した妨害信号による受信エラーを改善する高周波信号受信装置。
【請求項６】
制御用データを入力するデータ用入力端子を設け、このデータ用入力端子を、重み付け制御回路の入力に接続し、その出力電圧により重み付け回路の重み付け係数を設定できるようにした請求項５に記載の高周波信号受信装置。
【請求項７】
少なくとも第１のＡＧＣ回路と、第２のＡＧＣ回路と、第３のＡＧＣ回路と、第１の混合回路と、第２の混合回路と、第１の局部発振回路と、第２の局部発振回路と、第１のＡＧＣ制御回路と、第２のＡＧＣ制御回路と、第３のＡＧＣ制御回路と、重み付け回路と、ＡＤコンバータと、デジタルフィルタとは、同一のパッケージに集積された請求項５に記載の高周波信号受信装置。
【請求項８】
高周波信号が入力される入力端子と、この入力端子に入力された信号が供給される第１のＡＧＣ回路と、この第１のＡＧＣ回路の出力が一方の入力に供給されるとともに他方の入力には第１の局部発振回路の出力信号が供給される第１の混合回路と、この第１の混合回路の出力が供給される第１のフィルタと、前記第１の混合回路の出力が供給される第１のＡＧＣ制御回路と、前記第１のフィルタの出力が供給される第２のＡＧＣ回路と、この第２のＡＧＣ回路の出力が一方の入力に供給されるとともに他方の入力には第２の局部発振回路の出力信号が供給される第２の混合回路と、この第２の混合回路の出力が供給される第２のフィルタと、前記第２の混合回路の出力が供給される第２のＡＧＣ制御回路と、前記第２のフィルタの出力が供給される第３のＡＧＣ回路と、この第３のＡＧＣ回路の出力が供給されるＡＤコンバータと、このＡＤコンバータの出力が供給されるデジタルフィルタと、このデジタルフィルタの出力が供給される復調回路と、この復調回路の出力が供給される出力端子と、前記デジタルフィルタの出力が供給されるとともに前記第３のＡＧＣ回路の利得制御する第３のＡＧＣ制御回路と、前記第１のＡＧＣ制御回路の出力電圧と前記第３のＡＧＣ制御回路の出力電圧とが入力に供給されるとともに、その出力電圧が前記第１のＡＧＣ回路の利得制御用端子に供給される第１の重み付け回路と、前記第２のＡＧＣ制御回路の出力電圧と前記第３のＡＧＣ制御回路の出力電圧とが入力に供給されるとともに、その出力電圧が前記第２のＡＧＣ回路の利得制御用端子に供給される第２の重み付け回路とを備え、前記第１のＡＧＣ制御回路の出力電圧と前記第３のＡＧＣ制御回路の出力電圧とを前記第１の重み付け回路にて重み付けして合成した出力電圧により前記第１のＡＧＣ回路を利得制御し、さらに前記第２のＡＧＣ制御回路の出力電圧と前記第３のＡＧＣ制御回路の出力電圧とを前記第２の重み付け回路にて重み付けして合成した出力電圧により前記第２のＡＧＣ回路を利得制御して希望信号に近接した妨害信号による受信エラーを改善する高周波信号受信装置。
【請求項９】
制御用データを入力するデータ用入力端子を設け、このデータ用入力端子を、重み付け制御回路の入力に接続し、その出力電圧により第１の重み付け回路の重み付け係数と第２の重み付け回路の重み付け係数を独立に設定できるようにした請求項８に記載の高周波信号受信装置。
【請求項１０】
少なくとも第１のＡＧＣ回路と、第２のＡＧＣ回路と、第１の混合回路と、第２の混合回路と、第１の局部発振回路と、第２の局部発振回路と、第１のＡＧＣ制御回路と、第２のＡＧＣ制御回路と、第１の重み付け回路と、第２の重み付け回路とは同一のパッケージに集積された請求項８に記載の高周波信号受信装置。
【発明の詳細な説明】
【０００１】
【発明の属する技術分野】
本発明は、高周波信号を受信する高周波信号受信装置に関するものである。
【０００２】
【従来の技術】
従来の高周波信号受信装置は図１０に示すように、高周波信号が入力される入力端子６０１と、この入力端子６０１に入力された信号が供給される自動利得制御（以下、ＡＧＣ）回路６０２と、このＡＧＣ回路６０２の出力が一方の入力に供給されるとともに他方の入力には局部発振回路６０４の出力信号が供給される混合回路６０５と、この混合回路６０５の出力が供給されるフィルタ６０７と、混合回路６０５の出力とＡＧＣ回路６０２の利得制御用端子６０３との間に接続されたＡＧＣ制御回路６０６と、フィルタ６０７の出力が供給されるＡＧＣ回路６０８と、このＡＧＣ回路６０８の出力が一方の入力に供給されるとともに他方の入力には局部発振回路６０９の出力信号が供給される混合回路６１０と、この混合回路６１０の出力が供給されるフィルタ６１２と、このフィルタ６１２の出力とＡＧＣ回路６０８との間に接続されたＡＧＣ制御回路６１１と、フィルタ６１２の出力が供給されるＡＧＣ回路６１３と、このＡＧＣ回路６１３の出力が供給されるＡＤコンバータ６１４と、このＡＤコンバータ６１４の出力が供給されるデジタルフィルタ６１５と、このデジタルフィルタ６１５の出力が供給される復調回路６１７と、この復調回路６１７の信号を出力する出力端子６１８と、デジタルフィルタ６１５の出力とＡＧＣ回路６１３との間に接続されたＡＧＣ制御回路６１６とで構成されていた。
【０００３】
以上のように構成された高周波信号受信装置の動作を、混合回路６０５から出力される第１の中間周波数が入力信号より高い周波数として、かつ混合回路６１０から出力される第２の中間周波数が入力信号より低い周波数とした高周波信号受信装置について説明する。
【０００４】
入力端子６０１には、例えば９０ＭＨｚから７７０ＭＨｚの高周波デジタル信号が入力される。この高周波の入力信号は、ＡＧＣ回路６０２で増幅された後、局部発振回路６０４の出力とにより混合回路６０５で混合されて周波数変換され、例えば１２００ＭＨｚの第１の中間周波数となる。この第１の中間周波数はＡＧＣ制御回路６０６に入力され、さらにこのＡＧＣ制御回路６０６からの出力電圧はＡＧＣ回路６０２に加えられ、混合回路６０５からの出力レベルが一定になるように利得制御される。
【０００５】
さらに、混合回路６０５から出力される高周波信号はフィルタ６０７で希望信号以外の信号が少し抑圧された後、ＡＧＣ回路６０８にて増幅され、その後局部発振回路６０９の出力とにより混合回路６１０で混合されて例えば４ＭＨｚの第２の中間周波数に変換される。
【０００６】
混合回路６１０から出力される４ＭＨｚの出力信号はフィルタ６１２で希望信号以外の信号がさらに抑圧された後ＡＧＣ制御回路６１１に入力される。そして、このＡＧＣ制御回路６１１からの出力電圧はＡＧＣ回路６０８に加えられ、混合回路６１０からの出力レベルが一定になるように利得制御される。
【０００７】
さらに、フィルタ６１２から出力される第２の中間周波数はＡＧＣ回路６１３にて増幅され、その出力はＡＤコンバータ６１４にてデジタル信号に変換される。その後、デジタルフィルタ６１５により希望信号以外の信号がさらに十分に抑圧されて復調回路６１７にて復調された後、出力端子６１８から出力される。
【０００８】
また、デジタルフィルタ６１５からの出力信号はＡＧＣ制御回路６１６に入力され、このＡＧＣ制御回路６１６からの出力電圧はＡＧＣ回路６１３に加えられて復調回路６１７への高周波信号レベルが一定になるように利得制御される。
【０００９】
このとき、入力端子６０１に入力される高周波信号レベルの大きさに応じてＡＧＣ回路６１３、ＡＧＣ回路６０８、ＡＧＣ回路６０２とにそれぞれに利得制御をかける。これにより、優れたキャリア対ノイズ比（以下、Ｃ／Ｎ）と希望信号に近接した妨害信号による歪みの少ない出力信号を取り出すことができる。（数１）では、この高周波信号受信装置の雑音指数Ｆを表している。
【００１０】
【数１】
2004048645.tif 000003
【００１１】
（数１）において、ＡＧＣ回路６０２の利得と雑音指数をそれぞれＧ１とＦ１とし、混合回路６０５の雑音指数をＦ２とし、混合回路６０５とフィルタ６０７との合成した利得をＧ２とし、ＡＧＣ回路６０８を含む後段の雑音指数をＦ３としている。次に（数２）について説明する。
【００１２】
【数２】
2004048645.tif 000004
【００１３】
（数２）では、高周波信号受信装置のＣ／Ｎを希望信号レベルＰｓｉと高周波信号受信装置の雑音指数Ｆにより表し、高周波信号受信装置のＣ／Ｎは、主に希望信号レベルＰｓｉと雑音指数Ｆによって決定されることを示している。ここで、Ｋはボルツマン定数であり、Ｔは周囲温度２９０Ｋであり、Ｂは希望信号の帯域幅である。
【００１４】
この時、入力端子６０１に入力される高周波信号レベルは例えば−７０ｄＢｍ以上になるとＡＧＣ回路６０２の利得制御が働き、−７０ｄＢｍ以下になるとＡＧＣ回路６０８の利得制御が働き、さらにそれ以下の高周波信号レベルになるとＡＧＣ回路６１３の利得制御がそれぞれ働くものとしている。
【００１５】
最初に、希望信号レベルのみの場合、あるいは希望信号に近接して存在する妨害信号のレベルが小さい場合の高周波信号受信装置のＣ／Ｎについて説明する。以下、希望信号に近接して存在する妨害信号としては隣接信号あるいは隣々接信号が代表されるが、以下の説明では隣接信号を例として説明している。
【００１６】
このように、希望信号レベルに対して隣接信号のレベルが小さいときは、ほとんど希望信号のみによって利得制御がされてしまう。
【００１７】
図３は、入力信号レベル３１０に対する高周波信号受信装置の雑音指数Ｆ３１１を表した図である。図３において、高周波信号レベルである希望信号レベルが−７０ｄＢｍ以下の小さいレベルの領域３０１では、（数１）においてＡＧＣ回路６０２の利得Ｇ１が最大となって、ＡＧＣ回路６０２の雑音指数Ｆ１で決定されるので、高周波信号受信装置の雑音指数Ｆは一定値で低い雑音指数３０５となる。次に、希望信号レベルが−７０ｄＢｍ以上の大きいレベルの領域３０２では、ＡＧＣ回路６０２の利得Ｇ１が小さくなる方向に利得制御されるため、混合回路６０５の雑音指数Ｆ２やフィルタ６０７を含む後段の雑音指数をＦ３が無視できなくなり、高周波信号受信装置の雑音指数Ｆが徐々に大きくなる様子を３０３で示している。
【００１８】
図４は、希望信号レベル４１０に対する高周波信号受信装置のＣ／Ｎ４１１を表した図である。図４において、希望信号が−７０ｄＢｍ以下の小さいレベルの領域４０１では、図３の領域３０１の雑音指数３０３が一定であるのに対して希望信号レベルＰｓｉが大きくなるため（数２）より明らかなように希望信号レベルＰｓｉに応じてＣ／Ｎが良くなる様子を４０５で示している。さらに、希望信号レベルＰｓｉが−７０ｄＢｍ以上の大きい領域４０２では、希望信号レベルＰｓｉは大きくなるが高周波信号受信装置の雑音指数Ｆは図３の領域３０２に示すように希望信号レベルＰｓｉである入力信号レベルによりほぼ同じ量だけ悪くなるので（数２）より明らかなように一定のＣ／Ｎ値４０３を示すことになる。
【００１９】
次に、希望信号レベルＰｓｉに対して例えば隣接信号のレベルが大きい場合の高周波信号受信装置のＣ／Ｎ５１１について説明する。
【００２０】
図５は、希望信号レベルＰｓｉが−７０ｄＢｍと一定時における隣接信号のレベル５１０に対する高周波信号受信装置のＣ／Ｎを表す。
【００２１】
図５において、隣接信号のレベル５１０が−７０ｄＢｍより小さい領域５０１では、−７０ｄＢｍの希望信号レベルＰｓｉによって利得制御が行われるため高周波信号受信装置の雑音指数Ｆは図３の３０４となって高周波信号受信装置の雑音指数Ｆが良いため（数２）より明らかなように良好な一定のＣ／Ｎである５０４になる。
【００２２】
さらに、図５において希望信号レベルＰｓｉが−７０ｄＢｍのときに隣接信号のレベルが−７０ｄＢｍより大きい領域５０２では、図３より高周波信号受信装置の雑音指数Ｆは隣接信号のレベルである入力信号レベルに応じて雑音指数が劣化していくのに対して希望信号レベルＰｓｉは−７０ｄＢｍの一定であり、（数２）より明らかなようにＣ／Ｎは隣接信号のレベルに応じて劣化する。このため、隣接信号のレベルの大きさに応じてＣ／Ｎは５０３と徐々に劣化していく。
【００２３】
ここで、上記の隣接信号のレベルによってＣ／Ｎが劣化する場合と、隣接信号のレベルにより三次による相互変調歪み（以下、ＩＭ３）等によって妨害が起こる場合があるが、隣接信号のレベルによってＣ／Ｎが劣化する場合の方が支配的である。
【００２４】
以上のように、希望信号に対して隣接信号のレベルが強い受信条件では、その隣接信号のレベルの大きさに応じてＡＧＣ回路６０２で最小利得となる方向に利得制御が働くため、高周波信号受信装置のＣ／Ｎが悪くなり、結果としてビットエラーレート（以下、ＢＥＲ）が悪くなって受信できなくなる。
【００２５】
従来のイメージ妨害を抑圧する混合回路は、特許文献１に記載されたものが知られている。
【００２６】
【特許文献１】
特開平８−２８８８７９号公報
【００２７】
【発明が解決しようとする課題】
しかしながらこのような従来の構成では、希望信号レベルＰｓｉに比べて希望信号に近接した妨害信号レベルが例えば２０ｄＢ以上強い受信条件においては、受信できなくなる。
【００２８】
本発明は、このような問題点を解決するもので、希望信号に近接した妨害信号のレベルが強い受信条件においても受信エラーの少ない高周波信号受信装置を提供することを目的としたものである。
【００２９】
【課題を解決するための手段】
この目的を達成するために本発明の高周波信号受信装置は、高周波信号が入力される入力端子と、この入力端子に入力された信号が供給されるＡＧＣ回路と、このＡＧＣ回路の出力が一方の入力に供給されるとともに他方の入力には局部発振回路の出力信号が供給される混合回路と、この混合回路の出力が供給されるフィルタと、このフィルタの出力が供給される出力端子と、前記混合回路の出力が供給されるＡＧＣ制御回路とを備え、一端に入力される前記ＡＧＣ制御回路の出力電圧と他端に入力される制御電圧とを重み付け回路にて重み付けして合成し、その出力電圧により前記ＡＧＣ回路を利得制御して希望信号に近接した妨害信号による受信エラーを改善するものである。
【００３０】
これにより、本高周波信号受信装置の希望信号に近接した妨害信号による受信エラーの改善ができる。
【００３１】
【発明の実施の形態】
本発明の請求項１に記載の発明は、高周波信号が入力される入力端子と、この入力端子に入力された信号が供給されるＡＧＣ回路と、このＡＧＣ回路の出力が一方の入力に供給されるとともに他方の入力には局部発振回路の出力信号が供給される混合回路と、この混合回路の出力が供給されるフィルタと、このフィルタの出力が供給される出力端子と、前記混合回路の出力が供給されるＡＧＣ制御回路とを備え、一端に入力される前記ＡＧＣ制御回路の出力電圧と他端に入力される制御電圧とを重み付け回路にて重み付けして合成し、その出力電圧により前記ＡＧＣ回路を利得制御して希望信号に近接した妨害信号による受信エラーを改善する高周波信号受信装置であり、一端に入力されるＡＧＣ制御回路の出力電圧と他端に入力される制御電圧とを受信エラーが減少する方向に重み付け回路にて重み付けして合成しているので、妨害特性とＣ／Ｎ特性に対してＡＧＣ制御電圧を最適に設定することが可能となり、希望信号に近接した妨害信号による受信エラーを改善できる。
【００３２】
このとき、重み付け回路の他端へは制御電圧を入力できるので、希望信号に近接した妨害信号の大きさに対応した電圧を入力することが可能となる。
【００３３】
また、移動中にあって希望信号に近接した妨害信号のレベルが刻々変化する場合でも、希望信号に近接した妨害信号レベルに応じて変化する電圧を重み付け回路で処理して合成したＡＧＣ制御電圧として用いる。つまり、希望信号と妨害信号との合成電圧によりＡＧＣ回路の利得制御を行うので優れた応答性が得られるもので、高速での移動受信に適している。
【００３４】
請求項２に記載の発明は、高周波信号が入力される入力端子と、この入力端子に入力された信号が供給される第１のＡＧＣ回路と、この第１のＡＧＣ回路の出力が一方の入力に供給されるとともに他方の入力には第１の局部発振回路の出力信号が供給される第１の混合回路と、この第１の混合回路の出力が供給される第１のフィルタと、前記第１の混合回路の出力が供給される第１のＡＧＣ制御回路と、前記第１のフィルタの出力が供給される第２のＡＧＣ回路と、この第２のＡＧＣ回路の出力が一方の入力に供給されるとともに他方の入力には第２の局部発振回路の出力信号が供給される第２の混合回路と、この第２の混合回路の出力が供給される第２のフィルタと、この第２のフィルタの出力が供給される出力端子と、前記第２のフィルタの出力が供給されるとともに前記第２のＡＧＣ回路を利得制御する第２のＡＧＣ制御回路と、前記第１のＡＧＣ制御回路の出力電圧と前記第２のＡＧＣ制御回路の出力電圧とが入力に供給されるとともに、その出力電圧が前記第１のＡＧＣ回路の利得制御用端子に供給される重み付け回路とを備え、前記第１のＡＧＣ制御回路の出力電圧と前記第２のＡＧＣ制御回路の出力電圧とを前記重み付け回路にて重み付けして合成した出力電圧により前記第１のＡＧＣ回路を利得制御して希望信号に近接した妨害信号による受信エラーを改善する高周波信号受信装置であり、第１のＡＧＣ制御回路の出力電圧と第２のＡＧＣ制御回路の出力電圧とを受信エラーが減少する方向に重み付け回路にて重み付けして合成しているので、妨害特性とＣ／Ｎ特性に対してＡＧＣ制御電圧を最適に設定することが可能となり、希望信号に近接した妨害信号による受信エラーを改善できる。
【００３５】
また、移動中にあって希望信号に近接した妨害信号のレベルが刻々変化する場合でも、希望信号に近接した妨害信号レベルに応じて変化する電圧を重み付け回路で処理して合成したＡＧＣ制御電圧として用いる。つまり、希望信号と妨害信号との合成電圧によりＡＧＣ回路の利得制御を行うので優れた応答性が得られるもので、高速での移動受信に適している。
【００３６】
請求項３に記載の発明は、制御用データを入力するデータ用入力端子を設け、このデータ用入力端子を、重み付け制御回路の入力に接続し、その出力電圧により重み付け回路の重み付け係数を設定できるようにした請求項２に記載の高周波信号受信装置であり、外部のデータ用入力端子からデータを入力することにより重み付け係数を設定できるので外部から最適な利得制御が可能となる。
【００３７】
請求項４に記載の発明は、少なくとも第１のＡＧＣ回路と、第１の混合回路と、第１の局部発振回路と、第１のＡＧＣ制御回路と、重み付け回路とは、同一のパッケージに集積された請求項２に記載の高周波信号受信装置であり、集積化できるので、小型化を図ることができるとともに部品管理や製造工数の削減ができる。
【００３８】
請求項５に記載の発明は、高周波信号が入力される入力端子と、この入力端子に入力された信号が供給される第１のＡＧＣ回路と、この第１のＡＧＣ回路の出力が一方の入力に供給されるとともに他方の入力には第１の局部発振回路の出力信号が供給される第１の混合回路と、この第１の混合回路の出力が供給される第１のフィルタと、前記第１の混合回路の出力が供給される第１のＡＧＣ制御回路と、前記第１のフィルタの出力が供給される第２のＡＧＣ回路と、この第２のＡＧＣ回路の出力が一方の入力に供給されるとともに他方の入力には第２の局部発振回路の出力信号が供給される第２の混合回路と、この第２の混合回路の出力が供給される第２のフィルタと、この第２のフィルタの出力または前記第２の混合回路の出力が供給されるとともに前記第２のＡＧＣ回路を利得制御する第２のＡＧＣ制御回路と、前記第２のフィルタの出力が供給される第３のＡＧＣ回路と、この第３のＡＧＣ回路の出力が供給されるＡＤコンバータと、このＡＤコンバータの出力が供給されるデジタルフィルタと、このデジタルフィルタの出力が供給される復調回路と、この復調回路の出力が供給される出力端子と、前記デジタルフィルタの出力が供給されるとともに前記第３のＡＧＣ回路を利得制御する第３のＡＧＣ制御回路と、前記第１のＡＧＣ制御回路の出力電圧と前記第３のＡＧＣ制御回路の出力電圧とが入力に供給されるとともに、その出力電圧が前記第１のＡＧＣ回路の利得制御用端子に供給される重み付け回路とを備え、前記第１のＡＧＣ制御回路の出力電圧と前記第３のＡＧＣ制御回路の出力電圧とを前記重み付け回路にて重み付けして合成した出力電圧により前記第１のＡＧＣ回路を利得制御して希望信号に近接した妨害信号による受信エラーを改善する高周波信号受信装置であり、第１のＡＧＣ制御回路の出力電圧と第３のＡＧＣ制御回路の出力電圧とを重み付け回路にて重み付けして合成した出力電圧により、ＡＧＣ回路を利得制御させる。このとき、受信エラーが減少する方向に重み付け回路にて重み付けして合成しているので、妨害特性とＣ／Ｎ特性に対して最適にＡＧＣ制御電圧を設定することが可能となり、その結果として希望信号に近接した妨害信号による受信エラーを改善できる。
【００３９】
このとき、デジタルフィルタからの出力信号を用いることで希望信号に近接した妨害信号をさらに十分に除去した希望信号を利用できるので、第３のＡＧＣ制御回路の出力電圧は希望信号に近接した妨害信号のレベルに応じた電圧とできるので、高周波信号受信装置の希望信号に近接した妨害信号による受信エラーをより確実に改善できる。
【００４０】
また、移動中にあって希望信号に近接した妨害信号のレベルが刻々変化する場合でも、希望信号に近接した妨害信号レベルに応じて変化する電圧を重み付け回路で処理して合成したＡＧＣ制御電圧として用いる。つまり、希望信号と妨害信号との合成電圧によりＡＧＣ回路の利得制御を行うので優れた応答性が得られるもので、高速での移動受信に適している。
【００４１】
請求項６に記載の発明は、制御用データを入力するデータ用入力端子を設け、このデータ用入力端子を、重み付け制御回路の入力に接続し、その出力電圧により重み付け回路の重み付け係数を設定できるようにした請求項５に記載の高周波信号受信装置であり、外部のデータ用入力端子からデータを入力することにより重み付け係数を設定できるので、外部から最適な利得制御が可能となる。
【００４２】
請求項７に記載の発明は、少なくとも第１のＡＧＣ回路と、第２のＡＧＣ回路と、第３のＡＧＣ回路と、第１の混合回路と、第２の混合回路と、第１の局部発振回路と、第２の局部発振回路と、第１のＡＧＣ制御回路と、第２のＡＧＣ制御回路と、第３のＡＧＣ制御回路と、重み付け回路と、ＡＤコンバータと、デジタルフィルタとは、同一のパッケージに集積された請求項５に記載の高周波信号受信装置であり、集積化できるので、小型化を図ることができるとともに部品管理や製造工数の削減ができる。
【００４３】
以下、本発明の実施の形態について、図面を用いて説明する。
【００４４】
（実施の形態１）
図１は、実施の形態１における高周波信号受信装置のブロック図である。以下、希望信号に近接して存在する妨害信号としては隣接信号あるいは隣々接信号が代表されるが、以下の説明では隣接信号を例として説明している。
【００４５】
図１において、本実施の形態における高周波信号受信装置は、高周波信号が入力される入力端子１０１と、この入力端子１０１に入力された信号が供給されるＡＧＣ回路１０２と、このＡＧＣ回路１０２の出力が一方の入力に供給されるとともに他方の入力には局部発振回路１０７の出力信号が供給される混合回路１０８と、この混合回路１０８の出力が供給されるフィルタ１１０と、混合回路１０８の出力が供給されるＡＧＣ制御回路１０９と、フィルタ１１０の出力が供給されるＡＧＣ回路１１１と、このＡＧＣ回路１１１の出力が一方の入力に供給されるとともに他方の入力には局部発振回路１１３の出力信号が供給される混合回路１１４と、この混合回路１１４の出力が供給されるフィルタ１１５と、このフィルタ１１５の出力が供給される出力端子１１６と、フィルタ１１５の出力が供給されるとともにＡＧＣ回路１１１を利得制御するＡＧＣ制御回路１１２と、ＡＧＣ制御回路１０９の出力電圧とＡＧＣ制御回路１１２の出力電圧とが供給されるとともに、その出力電圧がＡＧＣ回路１０２の利得制御用端子１０３に供給される重み付け回路１０４と、制御用データを入力するデータ用入力端子１０６と、このデータ用入力端子１０６から制御用データが重み付け回路１０４に供給される重み付け制御回路１０５とを備えた構成となっている。
【００４６】
以上のように構成された高周波信号受信装置であって、混合回路１０８から出力される第１の中間周波数の方が入力端子１０１から入力される入力信号より高い周波数とし、混合回路１１４から出力される第２の中間周波数が前記入力信号より低い周波数とした高周波信号受信装置について、その動作を説明する。
【００４７】
入力端子１０１に入力される高周波信号レベルは、例えば−７０ｄＢｍ以上になるとＡＧＣ回路１０２の利得制御が働き、−７０ｄＢｍ以下になるとＡＧＣ回路１１１の利得制御がそれぞれ働くものとしている。
【００４８】
入力端子１０１には、例えば９０ＭＨｚから７７０ＭＨｚの高周波信号が入力される。この高周波信号は、ＡＧＣ回路１０２で増幅された後、局部発振回路１０７の出力とにより混合回路１０８で混合されて例えば１２００ＭＨｚの第１の中間周波数に変換されて、ＡＧＣ制御回路１０９に入力される。また、混合回路１０８の出力はフィルタ１１０で希望信号以外の信号が少しだけ抑圧される。このフィルタ１１０は１２００ＭＨｚと周波数が高いために隣接信号の抑圧度は十分でなく、例えば下側チャンネルの音声信号に対して約５ｄＢから１０ｄＢ程度である。
【００４９】
フィルタ１１０の出力信号はＡＧＣ回路１１１で増幅された後、混合回路１１４で局部発振回路１１３の発振成分と混合されて例えば４ＭＨｚの第２の中間周波数に変換される。そして、フィルタ１１５で希望信号以外の信号がさらに抑圧された後、ＡＧＣ制御回路１１２によりＡＧＣ回路１１１が利得制御されて、フィルタ１１５からの出力信号が一定レベルになる。そして、その出力は出力端子１１６から出力される。このフィルタ１１５は隣接信号の下側チャンネルの音声信号に対して約２０ｄＢ程度のものを用いたとして、フィルタ１１０とフィルタ１１５での隣接信号の下側チャンネルの音声信号に対して合計約２５ｄＢ程度となる。つまり、隣接信号レベルが希望信号レベルに対して２５ｄＢ以上のときは、隣接信号が希望信号より大きなレベルとして出力端子１１６から出力される。
【００５０】
ＡＧＣ制御回路１０９からの出力電圧とＡＧＣ制御回路１１２からの出力電圧とは、重み付け回路１０４に入力されてそれぞれに重み付け係数を乗じて合成される。そしてこの出力は、利得制御用端子１０３を介してＡＧＣ回路１０２に入力されてＡＧＣ回路１０２は利得制御され、混合回路１０８からの出力信号レベルを一定にしている。
【００５１】
さらに、データ用入力端子１０６に加えられた制御用データは、重み付け制御回路１０５を介して、重み付け回路１０４の重み付け係数を独立に設定することができる。このことにより、隣接信号の妨害信号レベル（ＡＧＣ制御回路１０９の出力）と希望信号レベル（ＡＧＣ制御回路１１２の出力）に対する重み付けを適宜変えることにより、混合回路１０８からの信号レベルを任意に設定することができる。（数３）では、このときの高周波信号受信装置の雑音指数Ｆを表している。
【００５２】
【数３】
2004048645.tif 000005
【００５３】
（数３）において、ＡＧＣ回路１０２の利得と雑音指数をそれぞれＧ１とＦ１とし、混合回路１０８とフィルタ１１０との合成した利得をＧ２とし、ＡＧＣ回路１１１を含む後段の雑音指数をＦ３としている。（数４）では、高周波信号受信装置のＣ／Ｎを希望信号レベルＰｓｉと高周波信号受信装置の雑音指数Ｆにより表している。
【００５４】
【数４】
2004048645.tif 000006
【００５５】
（数４）において高周波信号受信装置のＣ／Ｎは、主に希望信号レベルＰｓｉと雑音指数Ｆと希望信号の帯域幅によって決定されることを示している。ここで、Ｋはボルツマン定数であり、Ｔは周囲温度２９０Ｋであり、Ｂは希望信号の帯域幅である。（数５）では、重み付け回路１０４の出力電圧であるＶ（ＲＦ１２）を表している。
【００５６】
【数５】
2004048645.tif 000007
【００５７】
（数５）において、ＡＧＣ制御回路１０９の出力電圧をＶ（ＡＧＣ１）とし、このＡＧＣ制御回路１０９の出力電圧Ｖ（ＡＧＣ１）に対する重み付け回路１０４での重み付け係数をＫ１とし、ＡＧＣ制御回路１１２の出力電圧をＶ（ＡＧＣ２）とし、このＡＧＣ制御回路１１２の出力電圧Ｖ（ＡＧＣ２）に対する重み付け回路１０４での重み付け係数をＫ２としている。
【００５８】
これにより、希望信号レベルＰｓｉと隣接信号のレベルとが入力されるＡＧＣ制御回路１０９からの出力電圧Ｖ（ＡＧＣ１）と、希望信号と主にフィルタ１１５により抑圧された隣接信号のレベルとが入力されるＡＧＣ制御回路１１２からの出力電圧Ｖ（ＡＧＣ２）とに独立に重み付けをすることにより混合回路１０８からの出力信号レベルに対する寄与率を決定できる。
【００５９】
このとき、ＡＧＣ制御回路１０９からの出力電圧Ｖ（ＡＧＣ１）とＡＧＣ制御回路１１２の出力電圧Ｖ（ＡＧＣ２）と重み付け回路１０４の出力電圧であるＶ（ＲＦ１２）とは、すべて３Ｖが最大利得時の電圧で、０Ｖが最小利得時の電圧としている。また、重み付け係数Ｋ１およびＫ２は０から１まで独立に設定可能としている。以下、（数５）において例えば重み付け係数Ｋ１を１とし、重み付け係数Ｋ２を任意の値とした場合について説明する。
【００６０】
さらに、入力端子１０１に入力される高周波信号レベルは例えば−７０ｄＢｍ以上になるとＡＧＣ回路１０２の利得制御が働き、−７０ｄＢｍ以下になるとＡＧＣ回路１１１の利得制御がそれぞれ働くものとしている。
【００６１】
最初に、希望信号レベルＰｓｉのみの場合、あるいは希望信号レベルＰｓｉに対して例えば隣接信号のレベルが小さく、かつ希望信号レベルＰｓｉが−７０ｄＢｍ以下の場合における高周波信号受信装置のＣ／Ｎについて説明する。
【００６２】
希望信号レベルＰｓｉが−７０ｄＢｍ以下であるので、ＡＧＣ制御回路１０９の出力電圧Ｖ（ＡＧＣ１）が利得最大になるように３Ｖに利得制御され、（数５）の第２項であるＡＧＣ制御回路１１２からの出力電圧Ｖ（ＡＧＣ２）は０Ｖから３Ｖの間となるが重み付け回路１０４の出力電圧Ｖ（ＲＦ１２）は３Ｖ以上にならないので、重み付け回路１０４からの出力電圧Ｖ（ＲＦ１２）は３Ｖとなり、ＡＧＣ回路１０２は従来例と同じ利得制御となる。
【００６３】
図３は、入力信号レベルに対する高周波信号受信装置の雑音指数Ｆを表した図である。図３において、希望信号レベルＰｓｉが−７０ｄＢｍ以下の入力信号レベルの領域３０１では、（数３）においてＡＧＣ回路１０２の利得Ｇ１が最大となってＡＧＣ回路１０２の雑音指数Ｆ１が支配的となるため、一定値で低い雑音指数３０５となる。
【００６４】
図３において、横軸３１０は信号レベル（ｄＢｍ）であり、縦軸３１１は高周波信号受信装置の雑音指数（ｄＢ）である。また、３１２は信号レベルが−７０ｄＢｍの点である。
【００６５】
図４は、希望信号レベルＰｓｉに対する高周波信号受信装置のＣ／Ｎを表した図である。図４において、希望信号レベルＰｓｉが−７０ｄＢｍ以下の小さいレベルの領域４０１では、一定値で低い雑音指数３０５（図３）に対して希望信号レベルＰｓｉが大きくなるため（数４）より明らかなように希望信号レベルＰｓｉに応じてＣ／Ｎが良くなる様子を４０５で示している。
【００６６】
図４において、横軸４１０は希望信号レベル（ｄＢｍ）であり、縦軸４１１は高周波信号受信装置のＣ／Ｎである。また、４１２は希望信号レベルが−７０ｄＢｍの点である。
【００６７】
次に、希望信号レベルＰｓｉのみの場合、あるいは希望信号レベルＰｓｉに対して例えば隣接信号のレベルが小さく、かつ希望信号レベルＰｓｉが−７０ｄＢｍ以上の場合における高周波信号受信装置のＣ／Ｎについて説明する。
【００６８】
（数５）において、ＡＧＣ制御回路１０９の出力電圧Ｖ（ＡＧＣ１）が利得最大から利得最小になるように例えば０Ｖから３Ｖの間に利得制御され、ＡＧＣ制御回路１１２からの出力電圧Ｖ（ＡＧＣ２）は利得最小である０Ｖに利得制御されるのでＡＧＣ制御回路１０９の出力電圧Ｖ（ＡＧＣ１）のみによって利得制御されるので従来例と同じとなる。
【００６９】
つまり、図３において入力信号が−７０ｄＢｍ以上の大きいレベルの領域３０２では、（数３）においてＡＧＣ回路１０２の利得Ｇ１が小さくなるように利得制御されるので混合回路１０８の雑音指数Ｆ２やフィルタ１１０を含めた以降の雑音指数Ｆ３が無視できなくなり、高周波信号受信装置の雑音指数Ｆが３０３に示すように徐々に大きくなる。
【００７０】
したがって、図４において希望信号レベルＰｓｉが−７０ｄＢｍ以上の大きい領域４０２では、（数４）より明らかなように、希望信号レベルＰｓｉは大きくなるが高周波信号受信装置の雑音指数Ｆは図３の領域３０２に示すようにほぼ同じ量だけ悪くなるので、結論として一定のＣ／Ｎ値４０３を示すことになる。
【００７１】
次に、希望信号レベルＰｓｉが例えば−７０ｄＢｍと一定で、隣接信号のレベルが−７０ｄＢｍ以下の場合での高周波信号受信装置のＣ／Ｎについて説明する。
【００７２】
（数５）において、希望信号レベルＰｓｉが−７０ｄＢｍ以上のときは、ＡＧＣ制御回路１０９の出力電圧Ｖ（ＡＧＣ１）が利得最大から利得最小になるように例えば３Ｖから０Ｖの間で利得制御されるが、ＡＧＣ制御回路１１２からの出力電圧Ｖ（ＡＧＣ２）は利得最小である０Ｖに利得制御されるので（数５）の第２項は０Ｖになって影響がなくなり、ＡＧＣ回路１０２による利得制御は従来例と同じとなる。
【００７３】
つまり、高周波信号受信装置の雑音指数Ｆは図３の３０４で示すように低い雑音指数を示し、高周波信号受信装置のＣ／Ｎは図４の４０４で示すように良好な値を示すことになる。
【００７４】
図５は、希望信号レベルが−７０ｄＢｍ時の隣接信号のレベルに対する高周波信号受信装置のＣ／Ｎを表す。
【００７５】
図５において、隣接信号のレベルが−７０ｄＢｍより小さい領域５０１では−７０ｄＢｍである希望信号レベルＰｓｉによる利得制御が支配的となるので高周波信号受信装置のＣ／Ｎは５０４で示すように良好な値を示すことになる。つまり、希望信号レベルＰｓｉより隣接信号のレベルが低いために従来例と同じく受信状態に悪い影響を与えないのである。
【００７６】
図５において、横軸５１０は隣接チャンネルの信号レベル（ｄＢｍ）であり、縦軸５１１は高周波信号受信装置の雑音指数（ｄＢ）である。また、５１２は隣接チャンネルの信号レベルが−７０ｄＢｍの点である。
【００７７】
次に、希望信号レベルＰｓｉが例えば−７０ｄＢｍと一定で、隣接信号のレベルが−７０ｄＢｍ以上の場合での高周波信号受信装置のＣ／Ｎについて説明する。
【００７８】
（数５）において、ＡＧＣ制御回路１０９の出力電圧Ｖ（ＡＧＣ１）は希望信号レベルＰｓｉより大きい隣接信号のレベルに応じて利得最大から利得最小になるように例えば３Ｖから０Ｖの間でＡＧＣ回路１０２が利得制御される。さらに、ＡＧＣ回路１０２からの出力信号は、フィルタ１１０およびフィルタ１１５で隣接信号の妨害信号が除去されるので、ＡＧＣ回路１０２から出力される小さい希望信号がＡＧＣ制御回路１１２で検出されてＡＧＣ回路１１１で利得制御されるため、ＡＧＣ制御回路１１２の出力電圧Ｖ（ＡＧＣ１）は利得最大である３Ｖの方に変化し、重み付け回路１０４の出力電圧Ｖ（ＲＦ１２）は利得最大である３Ｖ側に補正される。
【００７９】
つまり、前記重み付け回路１０４の出力電圧Ｖ（ＲＦ１２）によりＡＧＣ回路１０２の利得Ｇ１は利得最大の方に補正されるとともにＡＧＣ回路１０２の雑音指数Ｆ１が小さくなるので、（数３）より明らかなように高周波信号受信装置の雑音指数Ｆは改善され、図３において入力信号レベルが−７０ｄＢｍ以上の領域３０２では、雑音指数は３０６となって従来例３０３に比べて改善される。この雑音指数が改善された分だけ（数４）より高周波信号受信装置のＣ／Ｎは５０５で示すように良好な値を示すことになる。
【００８０】
ここで、上記の隣接信号のレベルによってＣ／Ｎが劣化する場合と、隣接信号のレベルによりＩＭ３等によって妨害が起こる場合があるが、隣接信号のレベルによってＣ／Ｎが劣化する場合の方が支配的であり、本実施の形態による改善方法が効果的となる。
【００８１】
さらに、データ用入力端子１０６に加えられた制御用データを受けて重み付け制御回路１０５により、重み付け回路１０４の重み付け係数を独立に外部から容易に設定することができる。
【００８２】
ただし、重み付け回路１０４に入力されるＡＧＣ制御回路１０９の出力電圧に対する重み付け係数Ｋ１に対してＡＧＣ制御回路１１２の出力電圧に対する重み付け係数Ｋ２を大きくし過ぎると、（数５）より重み付け回路１０４からの出力電圧Ｖ（ＲＦ１２）が上がってＡＧＣ回路１０２の利得を上げ過ぎることになり、例えば混合回路１０８でのＩＭ３等による妨害の影響が発生することがあるので、重み付け係数Ｋ１およびＫ２は最適設定が必要である。
【００８３】
以上のように、希望信号に対して大きな隣接信号の妨害信号があっても、希望信号レベルと隣接信号のレベルに重み付け係数を乗じたものとした重み付け回路１０４からの出力電圧によってＡＧＣ回路１０２を利得制御することにより、高周波信号受信装置のＣ／Ｎを改善でき安定した受信状態の高周波信号受信装置が提供できるものである。
【００８４】
また、従来の方式として例えば復調回路６１７からのＣ／Ｎあるいはビットエラーレートの信号を検出してマイコン等によりＡＧＣ回路６０２の利得制御用の電圧を変化させて隣接信号の妨害信号に対する改善を実施していたが、処理時間が長くかかるため受信状態が刻々と変化する移動中での受信には不向きであった。
【００８５】
本発明では、隣接信号の妨害信号レベルに応じたＡＧＣ回路１１１の利得制御用の電圧を用いて最適なＡＧＣ回路１０２の利得制御を瞬時に行うことにより希望信号に近接して存在する妨害信号に対する妨害の改善ができる。このため、刻々と変化する移動中においても瞬時に安定した受信状態を提供できるので、高速での移動受信に適している。
【００８６】
このときの入力される高周波信号は、アナログ信号であってもデジタル信号であっても効果は同じであることは言うまでもない。
【００８７】
（実施の形態２）
図２は、実施の形態２における高周波信号受信装置のブロック図である。希望信号に近接して存在する妨害信号としては隣接信号あるいは隣々接信号が代表されるが、以下の説明では隣接信号を例として説明している。
【００８８】
また、実施の形態１においては、重み付け回路１０４への入力点がＡＧＣ制御回路１１２の出力電圧であったのに対して、実施の形態２では重み付け回路２０４への入力点がＡＧＣ制御回路２２１の出力電圧である点において相違する。
【００８９】
さらに、（数３）と（数４）及び図３と図４と図５は実施の形態１と同じであるので説明を簡略化する。
【００９０】
図２において、実施の形態２における高周波信号受信装置は、高周波信号が入力される入力端子２０１と、この入力端子２０１に入力された信号が供給されるＡＧＣ回路２０２と、このＡＧＣ回路２０２の出力が一方の入力に供給されるとともに他方の入力には局部発振回路２０７の出力信号が供給される混合回路２０８と、この混合回路２０８の出力が供給されるフィルタ２１０と、混合回路２０８の出力が供給されるＡＧＣ制御回路２０９と、フィルタ２１０の出力が供給されるＡＧＣ回路２１１と、このＡＧＣ回路２１１の出力が一方の入力に供給されるとともに他方の入力には局部発振回路２１３の出力信号が供給される混合回路２１４と、この混合回路２１４の出力が供給されるフィルタ２１５と、このフィルタ２１５の出力または混合回路２１４の出力とＡＧＣ回路２１１の制御用端子との間に接続されたＡＧＣ制御回路２１２と、フィルタ２１５の出力が供給されるＡＧＣ回路２１６と、このＡＧＣ回路２１６の出力が供給されるＡＤコンバータ２１７と、このＡＤコンバータ２１７の出力が供給されるデジタルフィルタ２１８と、このデジタルフィルタ２１８の出力が供給される復調回路２１９と、この復調回路２１９の出力が供給される出力端子２２０と、デジタルフィルタ２１８の出力が供給されるとともにＡＧＣ回路２１６の利得を制御するＡＧＣ制御回路２２１と、ＡＧＣ制御回路２０９の出力電圧とＡＧＣ制御回路２２１の出力電圧とが供給されるとともに、その出力電圧がＡＧＣ回路２０２の利得制御用端子２０３に供給される重み付け回路２０４と、制御用データを入力するデータ用入力端子２０６と、データ用入力端子２０６から制御用データが供給されるとともに、その出力が重み付け回路２０４に接続された重み付け制御回路２０５とを備えたものである。
【００９１】
以上のように構成された高周波信号受信装置において、混合回路２０８から出力される第１の中間周波数を入力信号より高い周波数とし、混合回路２１４から出力される第２の中間周波数を入力信号より低い周波数とした高周波信号受信装置について、その動作を説明する。
【００９２】
入力端子２０１に入力される高周波信号レベルは、例えば−７０ｄＢｍ以上になるとＡＧＣ回路２０２の利得制御が働き、−７０ｄＢｍ以下になるとＡＧＣ回路２１１の利得制御が働き、さらにそれ以下になるとＡＧＣ回路２１６の利得制御がそれぞれ働くものとしている。
【００９３】
入力端子２０１には、例えば９０ＭＨｚから７７０ＭＨｚの高周波信号が入力される。この高周波信号は、ＡＧＣ回路２０２で増幅されたあと、局部発振回路２０７の出力とにより混合回路２０８で混合されて例えば１２００ＭＨｚの第１の中間周波数に変換されてＡＧＣ制御回路２０９に入力される。また、混合回路２０８の出力はフィルタ２１０で希望信号以外の信号が抑圧される。
【００９４】
フィルタ２１０の出力信号はＡＧＣ回路２１１で増幅された後、混合回路２１４で局部発振回路２１３の出力と混合されて例えば４ＭＨｚの第２の中間周波数に変換されてフィルタ２１５で希望信号以外の信号がさらに抑圧された後、ＡＧＣ制御回路２１２によりＡＧＣ回路２１１が利得制御される。
【００９５】
さらに、フィルタ２１５から出力される４ＭＨｚの第２の中間周波数はＡＧＣ回路２１６にて増幅され、その後ＡＧＣ回路２１６からの出力はＡＤコンバータ２１７にてデジタル信号に変換された後、デジタルフィルタ２１８により希望信号以外の信号がさらに抑圧されて復調回路２１９に入力される。この復調回路２１９で復調された出力は、出力端子２２０から出力される。
【００９６】
また、デジタルフィルタ２１８からの出力信号はＡＧＣ制御回路２２１に入力され、このＡＧＣ制御回路２２１からの出力電圧がＡＧＣ回路２１６に加えられて復調回路２１９への信号レベルが一定になるように利得制御される。（数６）では、このときの高周波信号受信装置の雑音指数Ｆを表している。
【００９７】
【数６】
2004048645.tif 000008
【００９８】
（数６）において、ＡＧＣ回路２０２の利得と雑音指数をそれぞれＧ１とＦ１とし、混合回路２０８とフィルタ２１０との合成した利得をＧ２とし、ＡＧＣ回路２１１を含む後段の雑音指数をＦ３としている。（数７）では、高周波信号受信装置のＣ／Ｎを希望信号レベルＰｓｉと高周波信号受信装置の雑音指数Ｆにより表している。
【００９９】
【数７】
2004048645.tif 000009
【０１００】
（数７）において高周波信号受信装置のＣ／Ｎは、主に希望信号レベルＰｓｉと雑音指数Ｆと希望信号の帯域幅によって決定されることを示している。ここで、Ｋはボルツマン定数であり、Ｔは周囲温度２９０Ｋであり、Ｂは希望信号の帯域幅である。（数８）では、重み付け回路２０４の出力電圧であるＶ（ＲＦ１３）を表している。
【０１０１】
【数８】
2004048645.tif 000010
【０１０２】
このとき、ＡＧＣ制御回路２０９からの出力電圧Ｖ（ＡＧＣ１）とし、ＡＧＣ制御回路２２１の出力電圧Ｖ（ＡＧＣ３）と、重み付け回路２０４の出力電圧であるＶ（ＲＦ１３）とは、すべて３Ｖが最大利得時の電圧で、０Ｖが最小利得時の電圧としている。
【０１０３】
（数８）において、ＡＧＣ制御回路２０９の出力電圧をＶ（ＡＧＣ１）とし、このＡＧＣ制御回路２０９の出力電圧Ｖ（ＡＧＣ１）に対する重み付け回路２０４での重み付け係数をＫ３とし、ＡＧＣ制御回路２２１の出力電圧をＶ（ＡＧＣ３）とし、このＡＧＣ制御回路２２１の出力電圧Ｖ（ＡＧＣ３）に対する重み付け回路２０４での重み付け係数をＫ４としている。
【０１０４】
これにより、希望信号レベルと隣接信号のレベルとが入力されるＡＧＣ制御回路２０９からの出力電圧Ｖ（ＡＧＣ１）と、フィルタ２１０と第２のフィルタ２１５とデジタルフィルタ２１８とによって隣接信号の妨害信号が十分に除去された希望信号レベルが入力されるＡＧＣ制御回路２２１からの出力電圧Ｖ（ＡＧＣ３）とを独立に重み付けをすることにより混合回路２０８からの出力レベルに対して利得制御が可能となる。
【０１０５】
このように、ＡＧＣ制御回路２２１には隣接信号の妨害信号が十分に除去された希望信号レベルが入力できるので、重み付け回路２０４の出力電圧であるＶ（ＲＦ１３）をより精度よく検出でき、高周波信号受信装置の隣接信号の妨害による受信エラーを実施の形態１に対してより確実に改善できる。
【０１０６】
さらに、データ用入力端子２０６に加えられた制御用データにより重み付け回路２０４の重み付け係数を独立に外部から容易に設定することができる。
【０１０７】
ただし、重み付け回路２０４に入力されるＡＧＣ制御回路２０９の出力電圧Ｖ（ＡＧＣ１）に対する重み付け係数Ｋ３に対してＡＧＣ制御回路２２１の出力電圧Ｖ（ＡＧＣ３）に対する重み付け係数Ｋ４を大きくし過ぎると、（数８）より重み付け回路２０４からの出力電圧Ｖ（ＲＦ１３）が上がってＡＧＣ回路２０２の利得を上げ過ぎることになり、例えば混合回路２０８でのＩＭ３等による妨害の影響が発生することがあるので、重み付け係数Ｋ３およびＫ４は最適設定が必要である。
【０１０８】
以上のように、希望信号に近接して大きな妨害信号があっても、第１のＡＧＣ制御回路の出力電圧と第３のＡＧＣ制御回路の出力電圧とを受信エラーが減少する方向に重み付け回路にて重み付けして合成している。この重み付け回路から出力されるＡＧＣ制御電圧を用いてＡＧＣ回路の利得制御を行わせているので、妨害特性とＣ／Ｎ特性に対して最適な設定が可能となるものである。以上により、希望信号に近接した妨害信号による受信エラーを改善でき、安定した受信状態を提供できるものである。
【０１０９】
また、第１のＡＧＣ制御回路と第３のＡＧＣ制御回路のそれぞれの出力電圧を重み付け回路で合成した電圧を用いているので、第１のＡＧＣ回路の利得制御を瞬時に行うことができる。このため、刻々と変化する移動中においても瞬時に安定した受信状態を提供できるので、高速での移動受信に適している。
【０１１０】
（実施の形態３）
図６は、実施の形態３における高周波信号受信装置のブロック図である。以下、希望信号に近接して存在する妨害信号としては隣接信号あるいは隣々接信号が代表されるが、以下の説明では隣接信号を例として説明している。
【０１１１】
また、実施の形態２では一個の重み付け回路２０４であるのに対して、実施の形態３では二個の重み付け回路１１０５、１１１０とからなり、この重み付け回路１１１０への入力点がＡＧＣ制御回路１１１２とＡＧＣ制御回路１１２１の出力電圧である点において相違する。
【０１１２】
さらに、（数９）と（数１０）は実施の形態１と同じであるので説明を簡略化する。
【０１１３】
図６において、実施の形態３における高周波信号受信装置は、高周波信号が入力される入力端子１１０１と、この入力端子１１０１に入力された信号が供給されるＡＧＣ回路１１０２と、このＡＧＣ回路１１０２の出力が一方の入力に供給されるとともに他方の入力には局部発振回路１１０８の出力信号が供給される混合回路１１０７と、この混合回路１１０７の出力が供給されるフィルタ１１０９と、混合回路１１０７の出力が供給されるＡＧＣ制御回路１１０６と、フィルタ１１０９の出力が供給されるＡＧＣ回路１１１１と、このＡＧＣ回路１１１１の出力が一方の入力に供給されるとともに他方の入力には局部発振回路１１１３の出力信号が供給される混合回路１１１４と、この混合回路１１１４の出力が供給されるフィルタ１１１５と、混合回路１１１４の出力が供給されるＡＧＣ制御回路１１１２と、フィルタ１１１５の出力が供給されるＡＧＣ回路１１１６と、このＡＧＣ回路１１１６の出力が供給されるＡＤコンバータ１１１７と、このＡＤコンバータ１１１７の出力が供給されるデジタルフィルタ１１１８と、このデジタルフィルタ１１１８の出力が供給される復調回路１１１９と、この復調回路１１１９の出力が供給される出力端子１１２０と、デジタルフィルタ１１１８の出力が供給されるとともにＡＧＣ回路１１１６を利得制御するＡＧＣ制御回路１１２１と、ＡＧＣ制御回路１１２１の出力電圧とＡＧＣ制御回路１１０６の出力電圧とが入力に供給されるとともに、その出力電圧がＡＧＣ回路１１０２の利得制御用端子１１２２に供給される重み付け回路１１０５と、ＡＧＣ制御回路１１２１の出力電圧とＡＧＣ制御回路１１１２の出力電圧とが入力に供給されるとともに、その出力電圧がＡＧＣ回路１１１１の利得制御用端子１１２３に供給される重み付け回路１１１０とを備えた構成となっている。
【０１１４】
以上のように構成された高周波信号受信装置において、混合回路１１０７から出力される第１の中間周波数を入力信号より高い周波数とし、混合回路１１１４から出力される第２の中間周波数を入力信号より低い周波数としたものとして、その動作を説明する。
【０１１５】
入力端子１１０１に入力される高周波信号レベルは、例えば−７０ｄＢｍ以上になるとＡＧＣ回路１１０２の利得制御が働き、−７０ｄＢｍ以下になるとＡＧＣ回路１１０２の利得制御が働き、さらにそれ以下になるとＡＧＣ回路１１０２の利得制御がそれぞれ働くものとしている。
【０１１６】
入力端子１１０１には、例えば９０ＭＨｚから７７０ＭＨｚの高周波信号が入力される。この高周波信号は、ＡＧＣ回路１１０２で増幅されたあと、局部発振回路１１０８の出力とにより混合回路１１０７で混合されて例えば１２００ＭＨｚの第１の中間周波数に変換されてＡＧＣ制御回路１１０６に入力される。また、混合回路１１０７の出力はフィルタ１１０９で希望信号以外の信号が抑圧される。
【０１１７】
フィルタ１１０９の出力信号はＡＧＣ回路１１１１で増幅された後、混合回路１１１４で局部発振回路１１１３の出力と混合されて例えば４ＭＨｚの第２の中間周波数に変換されてフィルタ１１１５で希望信号以外の信号がさらに抑圧された後、ＡＧＣ制御回路１１１２によりＡＧＣ回路１１１１が利得制御される。
【０１１８】
さらに、フィルタ１１１５から出力される４ＭＨｚの第２の中間周波数はＡＧＣ回路１１１６にて増幅され、このＡＧＣ回路１１１６からの出力はＡＤコンバータ１１１７にてデジタル信号に変換された後、デジタルフィルタ１１１８により希望信号以外の信号がさらに抑圧されて復調回路１１１９に入力される。この復調回路１１１９で復調された出力は、出力端子１１２０から出力される。
【０１１９】
また、デジタルフィルタ１１１８からの出力信号はＡＧＣ制御回路１１２１に入力され、このＡＧＣ制御回路１１２１からの出力電圧がＡＧＣ回路１１１６に加えられて復調回路１１１９への信号レベルが一定になるように利得制御される。
【０１２０】
さらに、データ用入力端子１１０３に加えられた制御用データは、重み付け制御回路１１０４を介して、重み付け回路１１０５の重み付け係数および重み付け回路１１１０の重み付け係数をそれぞれ独立に設定することができる。このことにより、隣接ＣＨの妨害信号レベル（ＡＧＣ制御回路１１０６の出力）と希望信号レベル（ＡＧＣ制御回路１１２１の出力）に対する重み付けを適宜変えることにより、混合回路１１０７および混合回路１１１４からの信号レベルを任意に設定することができる。（数９）では、このときの高周波信号受信装置の雑音指数Ｆを表している。
【０１２１】
【数９】
2004048645.tif 000011
【０１２２】
（数９）において、ＡＧＣ回路１１０２の利得と雑音指数をそれぞれＧ１とＦ１とし、混合回路１１０７とフィルタ１１０９との合成した利得をＧ２とし、混合回路の雑音指数をＦ２とし、ＡＧＣ回路１１１１を含む後段の雑音指数をＦ３としている。（数１０）では、高周波信号受信装置のＣ／Ｎを希望信号レベルＰｓｉと高周波信号受信装置の雑音指数Ｆにより表している。
【０１２３】
【数１０】
2004048645.tif 000012
【０１２４】
（数１０）において高周波信号受信装置のＣ／Ｎは、主に希望信号レベルＰｓｉと雑音指数Ｆと希望信号の帯域幅によって決定されることを示している。ここで、Ｋはボルツマン定数であり、Ｔは周囲温度２９０Ｋであり、Ｂは希望信号の帯域幅である。（数１１）では、重み付け回路１１０５の出力電圧であるＶ（ＲＦ１３）を表している。
【０１２５】
【数１１】
2004048645.tif 000013
【０１２６】
（数１１）において、ＡＧＣ制御回路１１０６の出力電圧をＶ（ＡＧＣ１）とし、このＡＧＣ制御回路１１０６の出力電圧Ｖ（ＡＧＣ１）に対する重み付け回路１１０５での重み付け係数をＫ５とし、ＡＧＣ制御回路１１２１の出力電圧をＶ（ＡＧＣ３）とし、このＡＧＣ制御回路１１２１の出力電圧Ｖ（ＡＧＣ３）に対する重み付け回路１１０５での重み付け係数をＫ６としている。
【０１２７】
これにより、希望信号レベルＰｓｉと隣接ＣＨの信号レベルとが入力されるＡＧＣ制御回路１１０６からの出力電圧Ｖ（ＡＧＣ１）と、フィルタ１１０９とフィルタ１１１５とデジタルフィルタ１１１８により隣接ＣＨの信号レベルが十分に抑圧されて希望信号レベルのみが入力されるＡＧＣ制御回路１１２１からの出力電圧Ｖ（ＡＧＣ３）とに、それぞれ独立に重み付けをすることにより混合回路１１０７からの出力信号レベルに対する希望信号レベルＰｓｉと隣接ＣＨの信号レベルとの寄与率を決定できる。（数１２）では、重み付け回路１１１０の出力電圧であるＶ（ＩＦ２３）を表している。
【０１２８】
【数１２】
2004048645.tif 000014
【０１２９】
（数１２）において、ＡＧＣ制御回路１１１２の出力電圧をＶ（ＡＧＣ２）とし、このＡＧＣ制御回路１１１２の出力電圧Ｖ（ＡＧＣ２）に対する重み付け回路１１１０での重み付け係数をＫ７とし、ＡＧＣ制御回路１１２１の出力電圧をＶ（ＡＧＣ３）とし、このＶ（ＡＧＣ３）に対する重み付け回路１１１０での重み付け係数をＫ８としている。
【０１３０】
これにより、希望信号レベルＰｓｉとフィルタ１１０９のより抑圧された隣接ＣＨの信号レベルとが入力されるＡＧＣ制御回路１１１２からの出力電圧Ｖ（ＡＧＣ２）と、フィルタ１１０９とフィルタ１１１５とデジタルフィルタ１１１８により隣接ＣＨの信号レベルが十分に抑圧されて希望信号レベルのみが入力されるＡＧＣ制御回路１１２１からの出力電圧Ｖ（ＡＧＣ３）とに、それぞれ独立に重み付けをすることにより混合回路１１１４からの出力信号レベルに対する希望信号レベルＰｓｉと隣接ＣＨの信号レベルとの寄与率を決定できる。
【０１３１】
このとき、ＡＧＣ制御回路１１０６からの出力電圧Ｖ（ＡＧＣ１）とＡＧＣ制御回路１１１２の出力電圧Ｖ（ＡＧＣ２）とＡＧＣ制御回路１１２１からの出力電圧Ｖ（ＡＧＣ３）と重み付け回路１１０５の出力電圧であるＶ（ＲＦ１３）と重み付け回路１１１０の出力電圧であるＶ（ＩＦ２３）とは、すべて３Ｖが最大利得時の電圧で、０Ｖが最小利得時の電圧としている。また、重み付け係数Ｋ５とＫ６とＫ７とＫ８はすべて０から１まで独立に設定可能としている。
【０１３２】
以下、（数１１）および（数１２）において例えば重み付け係数Ｋ５およびＫ７をそれぞれ１とし、重み付け係数Ｋ６およびＫ８を任意の値とした場合について説明する。
【０１３３】
また、入力端子１１０１に入力される高周波信号レベルは例えば−７０ｄＢｍ以上になるとＡＧＣ回路１１０２の利得制御が、−７０ｄＢｍ以下になるとＡＧＣ回路１１１１の利得制御が、さらに例えば−９０ｄＢｍ以下より小さいレベルではＡＧＣ回路１１１６の利得制御がそれぞれ働くものとしている。
【０１３４】
最初に、希望信号レベルＰｓｉに対して例えば隣接ＣＨのような妨害信号のレベルが小さく無視でき、かつ希望信号レベルＰｓｉが−９０ｄＢｍ以下の場合における高周波信号受信装置のＣ／Ｎについて以下説明する。
【０１３５】
この場合には、−９０ｄＢｍ以下である希望信号レベルＰｓｉによって利得制御されるので、（数１１）において、第１項であるＶ（ＡＧＣ１）が利得最大になるように３Ｖとなり、第２項であるＶ（ＡＧＣ３）は０Ｖから３Ｖの間となるが、Ｖ（ＲＦ１３）は３Ｖ以上にならないので３ＶとなりＡＧＣ回路１１０２は従来例と同じように利得制御される。
【０１３６】
さらに（数１２）において、第１項であるＶ（ＡＧＣ２）が３Ｖとなり、第２項であるＶ（ＡＧＣ３）は０Ｖから３Ｖの間となるが、Ｖ（ＩＦ２３）は３Ｖ以上にならないので３ＶとなりＡＧＣ回路１１１１は従来例と同じように利得制御される。
【０１３７】
次に、希望信号レベルＰｓｉに対して例えば隣接ＣＨのような妨害信号のレベルが小さく、かつ希望信号レベルＰｓｉが−７０ｄＢｍから−９０ｄＢｍの場合における高周波信号受信装置のＣ／Ｎについて説明する。
【０１３８】
この場合には、−７０ｄＢｍから−９０ｄＢｍである希望信号レベルＰｓｉによって利得制御されるので、（数１１）において第１項であるＶ（ＡＧＣ１）が利得最大になるように３Ｖに利得制御され、第２項であるＶ（ＡＧＣ３）は０Ｖから３Ｖの間となるが、Ｖ（ＲＦ１３）は３Ｖ以上にならないので３ＶとなりＡＧＣ回路１１０２は従来例と同じように利得制御される。
【０１３９】
さらに（数１２）において、第１項であるＶ（ＡＧＣ２）が０から３Ｖで利得制御されて、第２項であるＶ（ＡＧＣ３）は０Ｖとなるので無視でき、Ｖ（ＩＦ２３）は第１項であるＶ（ＡＧＣ２）により決定されるのでＡＧＣ回路１１１１は従来例と同じように利得制御される。
【０１４０】
図７は、入力信号レベルに対する高周波信号受信装置の雑音指数Ｆを表した図である。
【０１４１】
図７において、希望信号レベルＰｓｉが−７０ｄＢｍ以下の入力信号レベルの領域１２０１では、（数１１）においてＡＧＣ回路１１０２の利得Ｇ１が最大となってＡＧＣ回路１１０２の雑音指数Ｆ１が支配的となるため、一定値で低い雑音指数１２０５となる。
【０１４２】
図７において、横軸１２１０は信号レベル（ｄＢｍ）であり、縦軸１２１１は高周波信号受信装置の雑音指数（ｄＢ）である。また、１２１２は信号レベルが−７０ｄＢｍの点である。
【０１４３】
図８は、希望信号レベルＰｓｉに対する高周波信号受信装置のＣ／Ｎを表した図である。
【０１４４】
図８において、希望信号レベルＰｓｉが−７０ｄＢｍ以下の小さいレベルの領域１３０１では、一定値で低い雑音指数１２０５（図７）に対して希望信号レベルＰｓｉが大きくなるため（数１２）より明らかなように希望信号レベルＰｓｉに応じてＣ／Ｎが良くなる様子を１３０５で示している。
【０１４５】
図８において、横軸１３１０は希望信号レベルＰｓｉ（ｄＢｍ）であり、縦軸１３１１は高周波信号受信装置のＣ／Ｎであり、１３１２は希望信号レベルＰｓｉが−７０ｄＢｍの点である。
【０１４６】
次に、希望信号レベルＰｓｉに対して例えば隣接ＣＨのような妨害信号のレベルが小さく、かつ希望信号レベルＰｓｉが−７０ｄＢｍ以上の場合における高周波信号受信装置のＣ／Ｎについて説明する。
【０１４７】
この場合には、−７０ｄＢｍ以上である希望信号レベルＰｓｉによって利得制御されるので、（数１１）において、第１項であるＶ（ＡＧＣ１）が利得最大から利得最小になるように例えば０Ｖから３Ｖの間となり、第２項であるＶ（ＡＧＣ２）は利得最小である０Ｖになるので無視でき、Ｖ（ＲＦ１３）は第１項であるＶ（ＡＧＣ１）のみによって決定されるため、ＡＧＣ回路１１０２は従来例と同じように利得制御される。
【０１４８】
さらに（数１２）において、第１項であるＶ（ＡＧＣ２）が利得最小になるように０Ｖに利得制御され、第２項であるＶ（ＡＧＣ２）は利得最小である０Ｖに利得制御されるので、Ｖ（ＩＦ２３）は第１項であるＶ（ＡＧＣ１）のみによって決定されるため、ＡＧＣ回路１１１１は従来例と同じように利得制御される。
【０１４９】
つまり、図７において入力信号が−７０ｄＢｍ以上の大きいレベルの領域１２０２では、（数１１）においてＡＧＣ回路１１０２の利得Ｇ１が小さくなるように利得制御されるので混合回路１１０７の雑音指数Ｆ２やフィルタ１１０９を含めた以降の雑音指数Ｆ３が無視できなくなり、高周波信号受信装置の雑音指数Ｆが１２０３に示すように徐々に大きくなる。
【０１５０】
したがって、図８において希望信号レベルＰｓｉが−７０ｄＢｍ以上の大きい領域１３０２では、（数１２）より明らかなように、希望信号レベルＰｓｉは大きくなるが高周波信号受信装置の雑音指数Ｆは図８の領域１３０２に示すようにほぼ同じ量だけ悪くなるので、結果として一定のＣ／Ｎ値１３０３を示すことになる。
【０１５１】
次に、希望信号レベルＰｓｉが例えば−７０ｄＢｍと一定で、隣接ＣＨの信号レベルが−７０ｄＢｍ以下の場合での高周波信号受信装置のＣ／Ｎについて説明する。
【０１５２】
この場合には、−７０ｄＢｍである希望信号レベルＰｓｉによって利得制御されるので、（数１１）において、希望信号レベルＰｓｉが−７０ｄＢｍのときは、第１項であるＶ（ＡＧＣ１）が利得最大になるように３Ｖで利得制御されるが、第２項であるＶ（ＡＧＣ３）は利得最小である０Ｖに利得制御されるので無視でき、Ｖ（ＲＦ１３）は第１項であるＶ（ＡＧＣ１）で決定されるのでＡＧＣ回路１１０２は従来例と同じように利得制御される。
【０１５３】
さらに（数１２）において、第１項であるＶ（ＡＧＣ２）が利得最小になるように０Ｖで利得制御されるが、第２項であるＶ（ＡＧＣ３）は利得最小である０Ｖに利得制御されるので、Ｖ（ＩＦ２３）は０ＶとなりＡＧＣ回路１１１１は従来例と同じように利得制御される。
【０１５４】
つまり、高周波信号受信装置の雑音指数Ｆは図７の１２０４で示すように低い雑音指数を示し、高周波信号受信装置のＣ／Ｎは図８の１３０４で示すように良好な値を示すことになる。
【０１５５】
図９は、希望信号レベルが−７０ｄＢｍ時の隣接ＣＨの信号レベルに対する高周波信号受信装置のＣ／Ｎを表す。
【０１５６】
図９において、隣接ＣＨの信号レベルが−７０ｄＢｍより小さい領域１４０１では−７０ｄＢｍである希望信号レベルＰｓｉによる利得制御が支配的となるので高周波信号受信装置のＣ／Ｎは１４０４で示すように良好な値を示すことになる。つまり、希望信号レベルＰｓｉより隣接ＣＨの信号レベルが低いために従来例と同じく受信状態に悪い影響を与えないのである。
【０１５７】
図９において、横軸１４１０は隣接チャンネルの信号レベル（ｄＢｍ）であり、縦軸１４１１は高周波信号受信装置の雑音指数（ｄＢ）である。また、１４１２は隣接チャンネルの信号レベルが−７０ｄＢｍの点である。
【０１５８】
次に、希望信号レベルＰｓｉが例えば−７０ｄＢｍと一定で、隣接ＣＨの信号レベルが−７０ｄＢｍ以上の領域１４０２での高周波信号受信装置のＣ／Ｎについて説明する。
【０１５９】
この場合には、（数１１）において第１項であるＶ（ＡＧＣ１）は希望信号レベルＰｓｉより大きい隣接ＣＨの信号レベルに応じて利得最大から利得最小になるように例えば３Ｖから０Ｖの間でＡＧＣ回路１１０２が利得制御されるので、ＡＧＣ回路１１０２からは利得制御された隣接ＣＨの信号レベルと小さな希望信号レベルＰｓｉとが出力される。このＡＧＣ回路１１０２からの出力信号のうち隣接ＣＨの信号はフィルタ１１０９およびフィルタ１１１５および抑圧効果の優れたデジタルフィルタ１１１８でほとんど除去されるため、小さな希望信号レベルＰｓｉのみがＡＧＣ制御回路１１２１で検出されることになり、（数１１）の第２項であるＶ（ＡＧＣ３）は小さな希望信号レベルＰｓｉに対して利得最大である３Ｖ側の電圧が出力される。
【０１６０】
以上のように、（数１１）の第１項であるＶ（ＡＧＣ１）は最小利得側である０Ｖに近い電圧となるが、（数１１）の第２項であるＶ（ＡＧＣ３）は利得最大である３Ｖに近い電圧が出力されるので、（数１１）のＶ（ＲＦ１３）は、重み付け係数Ｋ５と重み付け係数Ｋ７を最適に設定することにより利得最大側への補正が可能となる。
【０１６１】
以上により、（数１１）で示されるように利得最大側に補正されたＶ（ＲＦ１３）により利得制御されたＡＧＣ回路１１０２からは隣接ＣＨの信号と小さな希望信号とが出力され、混合回路１１０７およびフィルタ１１０９を介してＡＧＣ回路１１１１に入力されて隣接ＣＨの信号のみフィルタ１１０９で少し抑圧される。
【０１６２】
さらに（数１２）において、第１項であるＶ（ＡＧＣ２）は、希望信号レベルより大きい隣接ＣＨの信号レベルに応じて利得最大から利得最小になるように例えば３Ｖから０Ｖの間で利得制御されるので、ＡＧＣ回路１１１１からは利得制御された隣接ＣＨの信号レベルと小さな希望信号レベルＰｓｉとが出力される。さらに、ＡＧＣ回路１１１１からの出力信号のうち隣接ＣＨの信号はフィルタ１１１５および抑圧効果の優れたデジタルフィルタ１１１８でほとんど除去されるため、隣接ＣＨの信号レベルの大きさに応じた小さな希望信号レベルＰｓｉのみがＡＧＣ制御回路１１２１で検出されることになり、（数１２）の第２項であるＡＧＣ制御回路１１２１の出力電圧Ｖ（ＡＧＣ３）は小さな希望信号レベルＰｓｉに対して利得最大である３Ｖ側の電圧が出力される。
【０１６３】
従って、（数１２）の第１項であるＶ（ＡＧＣ２）は隣接ＣＨの信号レベルの大きさに応じた０Ｖから３Ｖの間となり、（数１２）の第２項であるＶ（ＡＧＣ３）は利得最大である３Ｖに近い電圧が出力されるので、（数１２）で示すＶ（ＩＦ２３）はＶ（ＡＧＣ２）に対する重み付け回路１１１０の重み付け係数Ｋ７とＶ（ＡＧＣ３）に対する重み付け回路１１１０の重み付け係数Ｋ８を最適に設定することにより利得最大側への補正が可能となる。
【０１６４】
ここで、（数１１）の重み付け係数Ｋ５に対して（数１１）の重み付け係数Ｋ６を大きくし過ぎると、（数１１）のＶ（ＲＦ１３）が大きくなり過ぎてＡＧＣ回路１１０２の利得を上げ過ぎることになり、例えば混合回路１１０７でのＩＭ３等による妨害の影響が発生することがあるので、重み付け係数Ｋ５およびＫ６は最適設定が必要である。
【０１６５】
また、重み付け回路１１１０に入力されるＡＧＣ制御回路１１１２の出力電圧に対する重み付け係数Ｋ７に対してＡＧＣ制御回路１１２１の出力電圧に対する重み付け係数Ｋ８を大きくし過ぎると、（数１２）より重み付け回路１１１０からの出力電圧Ｖ（ＩＦ２３）が上がってＡＧＣ回路１１０２の利得を上げ過ぎることになり、例えば混合回路１１０７でのＩＭ３等による妨害の影響が発生することがあるので、重み付け係数Ｋ５およびＫ７は最適設定が必要である。
【０１６６】
以上により、希望信号レベルＰｓｉに対して隣接ＣＨの信号レベルが大きい場合でも、（数１１）によりＡＧＣ回路１１０２の利得Ｇ１は利得最大の方に補正されＡＧＣ回路１１０２の雑音指数Ｆ１が小さくなるので、（数１１）より明らかなように高周波信号受信装置の雑音指数Ｆは改善され、図７において入力信号レベルが−７０ｄＢｍ以上の領域１２０２では、雑音指数Ｆは１２０６となって従来例１２０３に比べて改善される。また、この雑音指数Ｆが改善された分だけ（数１２）より明らかなように高周波信号受信装置のＣ／Ｎは改善されるので、図９においてＣ／Ｎの改善される様子を１４０５で示し、従来例を１４０３で示している。
【０１６７】
さらに、（数１１）に加えて（数１２）によりＡＧＣ回路１１１１の利得Ｇ２は利得最大の方に補正されるので、（数１１）より明らかなように高周波信号受信装置の雑音指数Ｆは改善され、図７において入力信号レベルが−７０ｄＢｍ以上の領域１２０２では雑音指数Ｆは１２０７とでき、（数１１）のみによる１２０６に比べてさらに改善できる。
【０１６８】
この雑音指数Ｆがさらに改善された分だけ（数１２）より明らかなように高周波信号受信装置のＣ／Ｎは改善されるので、図９においてＣ／Ｎの改善される様子を１４０６で示し、（数１１）のみによる１４０５に比べてさらに改善できる。
【０１６９】
また、データ用入力端子１１０３に加えられた制御用データを受けて重み付け制御回路１１０４を設けているので、重み付け回路１１０５の重み付け係数を独立に外部から容易に設定することができる。
【０１７０】
以上のように、希望信号に対して大きな隣接ＣＨの妨害信号があっても、希望信号レベルと隣接ＣＨの信号レベルに重み付け係数を乗じたものとした重み付け回路１１０５からの出力電圧Ｖ（ＲＦ１３）によってＡＧＣ回路１１０２を利得制御するとともに、希望信号レベルと隣接ＣＨの信号レベルに重み付け係数を乗じたものとした重み付け回路１１１０からの出力電圧Ｖ（ＩＦ２３）によってＡＧＣ回路１１１１を利得制御することにより、高周波信号受信装置のＣ／Ｎをより改善でき安定した受信状態の高周波信号受信装置が提供できるものである。
【０１７１】
このとき、ＡＧＣ制御回路１１１２からの電圧、ＡＧＣ制御回路１１２１からの電圧をそれぞれの重み付け回路１１０５、１１１０にて重み付けして加算される。この重み付け回路１１０５、１１１０から出力されるＡＧＣ制御電圧によりそれぞれのＡＧＣ回路１１０２、１１１１が最適にＡＧＣ制御される。
【０１７２】
このため、実施の形態３では実施の形態１および２より妨害に対する改善効果が得られる。
【０１７３】
また、希望信号に近接して存在する妨害信号レベルに応じたＡＧＣ制御回路１１２１の利得制御用の電圧Ｖ（ＡＧＣ３）を用いているので、ＡＧＣ回路１１０２、１１１１に対し最適な利得制御を瞬時に行うことができる。このため、刻々と変化する移動中においても瞬時に安定した受信状態を提供できるので、高速での移動受信に適している。
【０１７４】
ここで、実施の形態１、実施の形態２、実施の形態３ともに、それぞれ混合回路１０８、２０８、１１０７から出力される周波数が入力信号の周波数より高い周波数の場合を説明したが、入力信号の周波数より低い周波数の場合でも全く同じである。
【０１７５】
また、実施の形態１、実施の形態２、実施の形態３において、それぞれ混合回路１１４、２１４、１１１４の代わりにダイレクトコンバージョン方式を用いても改善効果は同じである。
【０１７６】
【発明の効果】
以上のように、ＡＧＣ制御回路の出力電圧と、希望信号に近接した妨害信号レベルに応じて変化する出力電圧とを重み付け回路にて重み付けして合成した出力電圧により、ＡＧＣ回路を利得制御させる。このとき、受信エラーが減少する方向に重み付け回路にて重み付けして合成しているので、妨害特性とＣ／Ｎ特性に対して最適にＡＧＣ制御電圧を設定することが可能となり、その結果として希望信号に近接した妨害信号による受信エラーを改善できる。
【０１７７】
また、移動中にあって希望信号に近接した妨害信号のレベルが刻々変化する場合でも、希望信号に近接した妨害信号レベルに応じて変化する電圧を重み付け回路で処理して合成したＡＧＣ制御電圧として用いる。つまり、希望信号と妨害信号との合成電圧によりＡＧＣ回路の利得制御を行うので優れた応答性が得られるもので、高速での移動受信に適している。
【０１７８】
さらに、外部のデータ用入力端子からデータを入力することにより重み付け係数を設定できるので外部から最適な利得制御が可能となるので、希望信号に近接した妨害信号による受信エラーをさらに確実に改善できる。
【図面の簡単な説明】
【図１】本発明の実施の形態１における高周波信号受信装置のブロック図
【図２】同、実施の形態２における高周波信号受信装置のブロック図
【図３】同、入力信号レベルに対する高周波信号受信装置の雑音指数を表した特性図
【図４】同、希望信号レベルに対する高周波信号受信装置のＣ／Ｎを表した特性図
【図５】同、希望信号レベルが−７０ｄＢｍと一定時における隣接信号のレベルに対する高周波信号受信装置のＣ／Ｎを表した特性図
【図６】本発明の実施の形態３における高周波信号受信装置のブロック図
【図７】同、入力信号レベルに対する高周波信号受信装置の雑音指数を表した特性図
【図８】同、希望信号レベルに対する高周波信号受信装置のＣ／Ｎを表した特性図
【図９】同、希望信号レベルが−７０ｄＢｍと一定時における隣接ＣＨの信号レベルに対する高周波信号受信装置のＣ／Ｎを表した特性図
【図１０】従来例における高周波信号受信装置のブロック図
【符号の説明】
１０１　入力端子
１０２　ＡＧＣ回路
１０３　利得制御用端子
１０４　重み付け回路
１０５　重み付け制御回路
１０６　データ用入力端子
１０７　局部発振回路
１０８　混合回路
１０９　ＡＧＣ制御回路
１１０　フィルタ
１１１　ＡＧＣ回路
１１２　ＡＧＣ制御回路
１１３　局部発振回路
１１４　混合回路
１１５　フィルタ
１１６　出力端子
【図１】
2004048645.tif 000015
【図２】
2004048645.tif 000016
【図３】
2004048645.tif 000017
【図４】
2004048645.tif 000018
【図５】
2004048645.tif 000019
【図６】
2004048645.tif 000020
【図７】
2004048645.tif 000021
【図８】
2004048645.tif 000022
【図９】
2004048645.tif 000023
【図１０】
2004048645.tif 000024